(57)【要約】【課題】光源駆動ブロックおよび電源ブロックの冷却、およびプロジェクタの静粛性の両立を図れるプロジェクタを提供する。【解決手段】プロジェクタは、光源駆動ブロック６２と、電源ブロック６１と、冷却ファンとを備える。冷却ファンは、電源ブロック６１を通して冷却空気を吸入し、この吸入した空気を光源駆動ブロック６２に吐出する。そして、電源ブロック６１は、冷却ファンが冷却空気を吸入する過程で冷却される。また、光源駆動ブロック６２は、冷却ファンから吐出される冷却空気により強制冷却される。【選択図】  図１０
2004272092.tif 000002
【特許請求の範囲】
【請求項１】
光源から射出された光束を画像情報に応じて変調する光変調装置と、この光変調装置にて変調された光束を拡大投写する投写光学装置とを備えたプロジェクタであって、
前記光源を駆動する光源駆動ブロックと、前記光源駆動ブロックおよび前記光変調装置に電力を供給する電源ブロックと、前記光源駆動ブロックおよび前記電源ブロックの間に配置され、これら光源駆動ブロックおよび電源ブロックを冷却する冷却ファンとを備え、
前記冷却ファンは、前記光源駆動ブロックおよび前記電源ブロックのうちのいずれか一方を通して空気を吸入し、この吸入した空気を前記光源駆動ブロックおよび前記電源ブロックのうちのいずれか他方に吐出することを特徴とするプロジェクタ。
【請求項２】
請求項１に記載のプロジェクタにおいて、
前記冷却ファンは、前記電源ブロックを通して空気を吸入し、この吸入した空気を前記光源駆動ブロックに吐出することを特徴とするプロジェクタ。
【請求項３】
請求項１または請求項２に記載のプロジェクタにおいて、
前記冷却ファンは、ファン回転軸方向から吸入した空気を回転接線方向に吐出する遠心力ファンであり、
前記光源駆動ブロックおよび前記電源ブロックは、前記冷却ファンの吸入口および吐出口のうちのいずれかに対向して平面視Ｌ字状に配置されていることを特徴とするプロジェクタ。
【請求項４】
請求項１から請求項３に記載のプロジェクタにおいて、
前記光源駆動ブロックおよび前記電源ブロックは、前記光源を囲むように配置されていることを特徴とするプロジェクタ。
【請求項５】
請求項４に記載のプロジェクタにおいて、
前記光源駆動ブロックおよび前記電源ブロックは、構成する回路素子を覆う筒状のシールド部材を備えていることを特徴とするプロジェクタ。
【請求項６】
請求項５に記載のプロジェクタにおいて、
前記シールド部材は、前記光源と対向する端面が開口のない板状に形成されていることを特徴とするプロジェクタ。
【請求項７】
請求項４から請求項６のいずれかに記載のプロジェクタにおいて、
前記光源に近接し、該光源を介して前記光源駆動ブロックおよび前記電源ブロックのうちのいずれか一方と対向配置され、前記プロジェクタ内部の空気を外部に排出する排気ファンと、
前記排気ファン、前記光源駆動ブロック、および前記電源ブロックの各端縁を結ぶ平面内に形成される開口部分を覆う板状のシールド板とを備えていることを特徴とするプロジェクタ。
【発明の詳細な説明】
【０００１】
【発明の属する技術分野】
本発明は、光源から射出された光束を画像情報に応じて変調する光変調装置と、この光変調装置にて変調された光束を拡大投写する投写光学装置とを備えたプロジェクタに関する。
【０００２】
【背景技術】
従来、光源から射出された光束を、画像情報に応じて光変調装置で変調して光学像を形成し、該光学像を拡大投写するプロジェクタが知られている（例えば、特許文献１参照）。
このプロジェクタは、光源を駆動する光源駆動回路、および、この光源駆動回路に電力を供給する電源が一体化された電源ユニットと、プロジェクタ内部を冷却する複数の冷却ファンを有する冷却ユニットとを備えている。
そして、冷却ユニットを構成する一つの冷却ファンは、電源ユニットに冷却空気を送風し、光源駆動回路および電源を一括して冷却している。
【０００３】
【特許文献１】
特開平８−１８６７８４号公報（図２）
【０００４】
【発明が解決しようとする課題】
しかしながら、このような冷却構造では、光源駆動回路および電源に一括して冷却空気を送風するので、光源駆動回路および電源の冷却効率を考慮した場合には、冷却ファンの送風量を大きくする必要がある。このため、冷却ファン自体の音が大きくなり、プロジェクタの静粛性を確保することが困難である。一方、プロジェクタの静粛性を確保するためには、冷却ファンの送風量を小さくする必要があり、光源駆動回路および電源の冷却効率が低減する。
【０００５】
本発明の目的は、光源駆動ブロックおよび電源ブロックの冷却、およびプロジェクタの静粛性の両立を図れるプロジェクタを提供することにある。
【０００６】
【課題を解決するための手段】
本発明のプロジェクタは、光源から射出された光束を画像情報に応じて変調する光変調装置と、この光変調装置にて変調された光束を拡大投写する投写光学装置とを備えたプロジェクタであって、前記光源を駆動する光源駆動ブロックと、前記光源駆動ブロックおよび前記光変調装置に電力を供給する電源ブロックと、前記光源駆動ブロックおよび前記電源ブロックの間に配置され、これら光源駆動ブロックおよび電源ブロックを冷却する冷却ファンとを備え、前記冷却ファンは、前記光源駆動ブロックおよび前記電源ブロックのうちのいずれか一方を通して空気を吸入し、この吸入した空気を前記光源駆動ブロックおよび前記電源ブロックのうちのいずれか他方に吐出することを特徴とする。
本発明では、例えば、電源ブロックおよび光源駆動ブロックの各発熱量を考慮して、以下のように構成できる。
【０００７】
すなわち、冷却ファンは、吸入による負圧により空気を光源駆動ブロックおよび電源ブロックのうちの発熱量の比較的小さいブロックを通す。また、冷却ファンは、吸入した空気を光源駆動ブロックおよび電源ブロックのうちの発熱量の比較的大きいブロックに吐出する。このことにより、冷却ファンは、空気を吸入する過程において、発熱量の比較的小さいブロックに発生した熱を放熱させることができる。また、冷却ファンは、光源駆動ブロックおよび電源ブロックのうちのいずれか一方にのみ、吸入した空気を吐出するので、送風量を大きくすることなく発熱量の比較的大きいブロックに発生した熱を放熱させることができる。したがって、光源駆動ブロックおよび電源ブロックの冷却効率を維持しつつ、プロジェクタの静粛性を確保できる。
【０００８】
本発明のプロジェクタでは、前記冷却ファンは、前記電源ブロックを通して空気を吸入し、この吸入した空気を前記光源駆動ブロックに吐出することが好ましい。
ここで、電源ブロックの発熱量は、光源駆動ブロックの発熱量に比べて低い場合が多い。
本発明によれば、冷却ファンは、発熱量の比較的低い電源ブロックを通して空気を吸入し、吸入した空気を発熱量の比較的高い光源駆動ブロックに吐出するので、光源駆動ブロックおよび電源ブロックを効率的に冷却できるとともに、プロジェクタの静粛性を確保できる。
【０００９】
本発明のプロジェクタでは、前記冷却ファンは、ファン回転軸方向から吸入した空気を回転接線方向に吐出する遠心力ファンであり、前記光源駆動ブロックおよび前記電源ブロックは、前記冷却ファンの吸入口および吐出口のうちのいずれかに対向して平面視Ｌ字状に配置されていることが好ましい。
本発明によれば、冷却ファンが遠心力ファンから構成され、該冷却ファン、光源駆動ブロック、および電源ブロックが平面視Ｌ字状に配置されるので、これら冷却ファン、光源駆動ブロック、および電源ブロックをコンパクトにすることができる。したがって、プロジェクタの設計の自由度が向上するとともに、プロジェクタの構成部材を高密度に実装可能となる。
【００１０】
本発明のプロジェクタでは、前記光源駆動ブロックおよび前記電源ブロックは、前記光源を囲むように配置されていることが好ましい。
本発明によれば、光源から射出された光束のうち、照明光軸を外れ、光源外部に漏れた光束を光源駆動ブロックおよび電源ブロックにて遮光できる。したがって、プロジェクタの外部に光束が漏れることを回避できる。
【００１１】
本発明のプロジェクタでは、前記光源駆動ブロックおよび前記電源ブロックは、構成する回路素子を覆う筒状のシールド部材を備えていることが好ましい。
ここで、シールド部材としては、例えば、アルミニウム等の金属製部材を採用できる。なお、この金属製部材に限らず、合成樹脂等の非導電性部材にて構成し、その表面にめっき処理、金属蒸着処理、または、金属箔の貼り付け等を実施した部材を採用してもよい。
ところで、電源ブロックおよび光源駆動ブロックは、外部から入力された電力を所定の電力に変圧するトランス等の回路素子を備えているので、このような回路素子からは、電磁波の強い輻射が起こる。また、例えば、光源において放電を生じさせることにより光束を射出させる場合には、放電の際に瞬間的に大電流が流れ、光源から電磁波の強い輻射（いわゆる、ランプノイズ）が起こる。
本発明では、光源駆動ブロックおよび電源ブロックは、筒状のシールド部材を備えているので、このシールド部材により、回路素子から放射される電磁波を遮蔽できる。また、光源から放射される電磁波も遮蔽できる。したがって、プロジェクタから他の電子機器に対する電磁妨害対策を十分に図れる。
また、このシールド部材は、電磁波を遮蔽する機能のみならず、冷却ファンによる空気の導風路を形成するダクトとしての機能も備えることができ、冷却ファンによる空気の送風を効率的に実施させ、冷却効率を向上させることができる。さらに、このシールド部材を、その外周面が光源に対向するように構成することで、光源からの輻射熱を遮蔽でき、光源からの輻射熱によりプロジェクタの他の構成部材が高温化することを回避できる。
【００１２】
本発明のプロジェクタでは、前記シールド部材は、前記光源と対向する端面が開口のない板状に形成されていることが好ましい。
本発明によれば、光源と対向する端面が開口のない板状に形成されているので、光源から放射される電磁波の遮蔽機能、冷却ファンによる空気の導風機能、および光源からの輻射熱の遮蔽機能をさらに向上できる。
【００１３】
本発明のプロジェクタでは、前記光源に近接し、該光源を介して前記光源駆動ブロックおよび前記電源ブロックのうちのいずれか一方と対向配置され、前記プロジェクタ内部の空気を外部に排出する排気ファンと、前記排気ファン、前記光源駆動ブロック、および前記電源ブロックの各端縁を結ぶ平面内に形成される開口部分を覆う板状のシールド部材とを備えていることが好ましい。
ここで、シールド部材としては、例えば、上述したシールド部材と同様に、アルミニウム等の金属製部材、合成樹脂等の非導電性部材にめっき処理、金属蒸着処理、または金属箔の貼り付け等を実施した部材を採用できる。
本発明によれば、プロジェクタは、排気ファンを備え、この排気ファンが光源に近接配置しているので、光源における熱により熱せられた空気を効率的にプロジェクタ外部に排出できる。したがって、冷却ファンによる光源駆動ブロックおよび電源ブロックの冷却とともに、排気ファンによる光源の冷却の双方を実施でき、プロジェクタ内部の冷却効率を向上できる。
また、プロジェクタは、シールド部材を備え、このシールド部材は、排気ファン、光源駆動ブロック、および電源ブロックの各端縁を結ぶ平面内に形成される開口部分を覆うように配置されるので、排気ファンによる空気の導風路を形成するダクトとして機能させることができる。
さらに、このシールド部材は、光源に対向配置されることになるので、このシールド部材により、光源から放出されるノイズ電波を遮蔽できる。したがって、プロジェクタから他の電子機器に対する電磁妨害対策を十分に図れる。
【００１４】
【発明の実施の形態】
以下、本発明の実施の一形態を図面に基づいて説明する。
（１）外観構成
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。
プロジェクタ１は、光源から射出された光束を画像情報に応じて変調し、スクリーン等の投写面上に拡大投写する。このプロジェクタ１は、図１ないし図３に示すように、略直方体状の外装ケース２、およびこの外装ケース２から露出する投写レンズ３を備えている。
投写レンズ３は、プロジェクタ１の本体部分により画像情報に応じて変調された光学像を拡大投写する。この投写レンズ３は、筒状の鏡筒内に複数のレンズが収納された組レンズとして構成され、複数のレンズの相対位置を変更するレバー３Ａ（図１）を備え、投写像のフォーカス調整、および倍率調整可能に構成されている。
【００１５】
外装ケース２は、合成樹脂製の筐体であり、プロジェクタ１の本体部分を収納する。この外装ケース２は、図１ないし図３に示すように、プロジェクタ１の上部分を覆うアッパーケース１１と、プロジェクタ１の下部分を覆うロアーケース１２と、プロジェクタ１の背面部分を覆うリアケース１３（図３）とを備えている。これらアッパーケース１１、ロアーケース１２およびリアケース１３は、ねじ等により固定され、適宜着脱可能に構成されている。
アッパーケース１１は、図１ないし図３に示すように、プロジェクタ１の上面、前面、および側面をそれぞれ構成する上面部１１Ａ、前面部１１Ｂ、および側面部１１Ｃ（図１），１１Ｄ（図２、図３）を含んで構成される。
【００１６】
このうち、上面部１１Ａおよび前面部１１Ｂは、図１または図３に示すように、プロジェクタ１の上面から前面にかけて、凸曲面を有するように連続して形成されている。また、前面部１１Ｂの左右方向両端部、上面部１１Ａの左右方向両端部、および上面部１１Ａの後方側端部には、面取加工が施され、この加工部分１１１が上面部１１Ａおよび前面部１１Ｂを囲うように連続して形成されている。
【００１７】
この上面部１１Ａにおいて、後方側略中央部分には、図１または図３に示すように、プロジェクタ１の起動・調整操作を実施する操作パネル１４が左右方向に延びるように設けられている。この操作パネル１４は、押釦スイッチで構成され、複数の操作ボタン１４１を適宜押下することにより、操作パネル１４内部に配置される図示しない回路基板に実装されたタクトスイッチと接触し、所望の操作が可能となる。また、この操作パネル１４は、操作ボタン１４１を囲うように化粧板１４２が設けられている。この化粧板１４２は、導光板としての機能を有し、プロジェクタ１の駆動時には、各操作ボタン１４１に応じた位置に、操作名称が発光するように構成されている。
なお、前述した操作パネル１４の回路基板は、後述する制御基板と電気的に接続され、操作ボタン１４１の押下に伴う操作信号は、制御基板に出力される。
また、この上面部１１Ａにおいて、前方側略中央部分には、複数の孔１５が形成され、この内側に配置される図示しないスピーカから該孔１５を介して音声が出力される。
さらに、この上面部１１Ａにおいて、前方から見て右側部分には、図１に示すように、前述した投写レンズ３のレバー３Ａを露出させ、該レバー３Ａの操作を可能にする切り欠き１６が形成されている。
【００１８】
また、この前面部１１Ｂにおいて、前方から見て左側部分には、図１に示すように、排気口１７が形成され、内部に配置される冷却ファンから排気される空気が該排気口１７を介して排出される。また、この排気口１７には、左右方向に延び、それぞれ平行に配列する複数の羽根板１７Ａ１を有するルーバ１７Ａが取り付けられている。このルーバ１７Ａは、排出される空気を整流するとともにプロジェクタ１内外間の遮光機能も備えている。
さらに、この前面部１１Ｂにおいて、前方から見て右側部分には、図１に示すように、前述した切り欠き１６と連続し、略円形状の切り欠き１８が形成されている。そして、この切り欠き１８は、投写レンズ３の先端部分を露出させている。
さらにまた、この前面部１１Ｂにおいて、前方から見て上方側略中央部分には、図１に示すように、リモコン受光窓１９が形成されている。そして、このリモコン受光窓１９の内側には、後述するリモートコントローラからの操作信号を受信する図示しないリモコン受光モジュールが配置されている。
なお、図示しないリモコン受光モジュールは、後述する制御基板と電気的に接続され、該リモコン受光モジュールにて受信した操作信号は、制御基板に出力される。また、図示は省略するが、これらリモコン受光窓およびリモコン受光モジュールは、プロジェクタ１の背面側にも設けられている。そして、プロジェクタ１の前方および後方の双方からリモートコントローラを用いてプロジェクタ１の遠隔操作を実施できるように構成されている。
【００１９】
側面部１１Ｃ，１１Ｄは、図１ないし図３に示すように、前述した上面部１１Ａおよび前面部１１Ｂの形状に対応して、前方に向かうにしたがって下方に曲折し、後方に向かうにしたがって背面側に曲折する形状を有している。
これら側面部１１Ｃ，１１Ｄにおいて、後方側端部には、投写レンズ３の投写方向と逆方向に突出し、上下方向に延びる突起２０が形成されている。
【００２０】
ロアーケース１２は、図１ないし図３に示すように、プロジェクタ１の底面、側面、および背面の一部をそれぞれ構成する底面部１２Ａ（図２）、側面部１２Ｂ（図１），１２Ｃ（図２、図３）、および背面部１２Ｄ（図３）を含んで構成される。
このうち、底面部１２Ａは、図２に示すように、略平板状の底面部分から斜め上方に向けて突出する突出部１２Ａ１が形成されている。この突出部１２Ａ１は、アッパーケース１１とロアーケース１２とが接続された状態で、アッパーケース１１の加工部分１１１と連続するように形成されている。そして、この底面部１２Ａは、プロジェクタ１の底面を構成するとともに、アッパーケース１１の前面部１１Ｂと接続してプロジェクタ１の前面を構成する。
【００２１】
この底面部１２Ａにおいて、下方から見て左側略中央部分には、矩形状の開口２１が形成されている。この開口２１には、該開口２１を覆うランプカバー２２が着脱自在に設けられている。
また、この底面部１２Ａにおいて、下方から見て右側で後方側の隅部は、内側に凹む段付き形状を有している。そして、この隅部には、外部から冷却空気を吸入するための吸気口２３が形成されている。この吸気口２３には、該吸気口２３を覆う吸気口カバー２３Ａが着脱自在に設けられている。この吸気口カバー２３Ａには、複数の開口２３Ｂが形成されている。そして、これら開口２３Ｂ内側には、図示しないエアフィルタが設けられており、内部への塵埃の侵入を防止している。
【００２２】
さらに、この底面部１２Ａにおいて、下方から見て後方側略中央部分には、プロジェクタ１の脚部を構成する固定脚部２４が設けられている。また、底面部１２Ａにおける前方側の左右角隅部分には、同じくプロジェクタ１の脚部を構成する調整脚部２５が設けられている。
このうち、調整脚部２５は、底面部１２Ａから面外方向に進退自在に突出する軸状部材から構成され、プロジェクタ１の投写時における該プロジェクタ１の前後方向および左右方向の傾斜位置を調整可能としている。
また、この底面部１２Ａにおいて、固定脚部２４の左右両側には、プロジェクタ１内外に空気を流通可能とする空気流通孔２６，２７が形成されている。この空気流通孔２６，２７を介して流通する空気により、該空気流通孔２６，２７に対応して配置されるプロジェクタ１内部の構成部材に発生する熱を放熱させている。
【００２３】
さらにまた、この底面部１２Ａにおいて、前方側略中央部分には、投写方向に延びる２つの膨出部２８が形成されている。この膨出部２８は、中空状に形成され、その内側には、突出部１２Ａ１に形成された２つの孔１２Ａ２を介して、プロジェクタ１を運搬する際に利用されるハンドル２９が設置されている。そして、ハンドル２９は、平面視コ字状のハンドル本体２９１を含んで構成され、このハンドル本体２９１は、底面部１２Ａの裏面側に固定される図示しない本体設置部材により投写方向に進退可能に取り付けられている。また、このハンドル本体２９１のコ字状先端部分は、該ハンドル本体２９１が投写方向に突出した際に、図示しない本体設置部材により底面部１２Ａの面外方向に所定角度、回動可能に軸支される。すなわち、ハンドル本体２９１を把持してプロジェクタ１を吊り下げ状態とした場合には、プロジェクタ１の重心位置がハンドル本体２９１のコ字状端縁にて形成される平面内に位置する。
【００２４】
側面部１２Ｂ，１２Ｃは、図１ないし図３に示すように、前方側が上方から下方に向けて曲折する形状を有し、投写方向略中央部分が上方に向かうにしたがって外側に拡がる凹曲面状に形成され、後方端部が背面側に曲折するように形成されている。そして、これら側面部１２Ｂ，１２Ｃは、アッパーケース１１の側面部１１Ｃ，１１Ｄと接続してプロジェクタ１の側面を構成する。
これら側面部１２Ｂ，１２Ｃにおいて、前方側には、図２または図３に示すように、底面部１２Ａに設けられた調整脚部２５に対応して調整ボタン３０が設けられている。そして、この調整ボタン３０を押下することにより、調整脚部２５が進退駆動し、プロジェクタ１の前後方向および左右方向の傾斜位置が調整される。なお、図２または図３では、側面部１２Ｃに設けられた調整ボタン３０のみが示されているが、側面部１２Ｂも同様に調整ボタン３０が設けられている。
【００２５】
また、これら側面部１２Ｂ，１２Ｃにおいて、後方側端部には、図３に示すように、投写レンズ３の投写方向と逆方向に突出し、上下方向に延びる突起３１が形成されている。そして、この突起３１は、前述したアッパーケース１１の側面部１１Ｃ，１１Ｄに形成された突起２０と接続し、これら突起２０，３１は、プロジェクタ１を縦置きする際の脚部として機能する。
背面部１２Ｄは、後方側に凸となる凸曲面を有するように形成されている。
この背面部１２Ｄにおいて、後方から見て右側には、図３に示すように、矩形状の開口３２が形成され、この開口３２を介してインレットコネクタ３３が露出する。また、この背面部１２Ｄの内側には、図示は省略するが、リアケース１３の下端を支持する支持部、およびリアケース１３を上方から嵌め込むための溝部が形成されている。
【００２６】
図４は、リアケース１３を上方から見た平面図である。
リアケース１３は、図３に示すように、ロアーケース１２の背面部１２Ｄの内側に形成された図示しない溝部に嵌め込み式で固定され、アッパーケース１１とロアーケース１２とが接続された状態で背面に形成される開口部分を塞ぐ。このリアケース１３は、図３または図４に示すように、略矩形状の板体１３１と、この板体１３１の下端縁から該板体１３１に略直交して突出する突出部１３２と、同様に板体１３１の上端縁から突出する突出部１３３（図４）と、板体１３１の左右方向略中央部分から略直交して突出し、リアケース１３を２つの領域に区画する隔壁１３４とを備える。
このうち、突出部１３２，１３３の先端は、図４に示すように、後方側に凸となるように形成されている。そして、アッパーケース１１、ロアーケース１２、およびリアケース１３を組み立てた状態では、突出部１３２の先端は、ロアーケース１２の背面部１２Ｄの上端と接続し、突出部１３３の先端は、アッパーケース１１の上面部１１Ａの後方側端部と接続する。すなわち、リアケース１３の板体１３１は、プロジェクタ１の背面から内側に離隔配置されている。
以上、説明したアッパーケース１１、ロアーケース１２、およびリアケース１３の形状により、これらが組み立てられた外装ケース２は、上面、前面、側面、底面、および背面の角部分が適宜、省略され、略流線形状を有するように構成されている。
【００２７】
このリアケース１３において、隔壁１３４により区画された領域のうち、後方から見て左側に位置する領域の板体１３１には、図３に示すように、複数の孔１３１Ａが形成され、この複数の孔１３１Ａを介して、外部の電子機器からの画像信号、音声信号等を入力するための複数の接続端子３４が外部に露出している。この領域に位置する板体１３１の内側には、接続端子３４から入力される信号を処理する図示しないインターフェース基板が配置されている。
なお、このインターフェース基板は、後述する制御基板と電気的に接続され、インターフェース基板にて処理された信号は、制御基板に出力される。
【００２８】
図５は、リアケース１３におけるリモートコントローラ３５の設置位置を示す図である。
リアケース１３において、隔壁１３４により区画された領域のうち、後方から見て右側に位置する領域には、図３ないし図５に示すように、リモートコントローラ３５（図５）を収納するリモコン収納部３６が設けられている。
リモートコントローラ３５は、プロジェクタ１における電源のオンオフや、画像の再生および停止、音量の調節等を実施する図示しない複数の操作ボタンを有する。そして、このリモートコントローラ３５は、前述のリモコン受光窓１９を介して内部のリモコン受光モジュールに、離間位置から操作信号を送信して、プロジェクタ１の遠隔操作を実施する。
リモコン収納部３６は、図５に示すように、リアケース１３における区画された右側の領域に嵌合し、一方の端面に開口部３６１を有する箱状部材であり、透明または半透明な材料から構成され、内部が視認可能となっている。そして、このリモコン収納部３６は、図４に示すように、開口部３６１と対向する側の端部が、突出部１３２，１３３の後方から見て右側隅部分にて軸支され、プロジェクタ１の上面部１１Ａまたは底面部１２Ａと略直交する軸を中心として回動可能に構成されている。
【００２９】
（２）内部構成
図６、図７は、プロジェクタ１の内部構造を示す図である。具体的には、図６は、プロジェクタ１のアッパーケース１１を外した図であり、図７は、図６の状態から制御基板等をさらに外した図である。
外装ケース２の内部には、図６または図７に示すように、プロジェクタ１の本体部分が収納されており、この本体部分は、投写方向略中央部分で左右方向に延び、一方の端部が前方に延びる平面視略Ｌ字状の光学ユニット４（図７）と、この光学ユニット４の上方で投写レンズ３側に配置される制御基板５（図６）と、背面部分および一方の側面部分に沿って平面視略Ｌ字状に配置される電源ユニット６と、吸気口２３および排気口１７に応じた位置、および電源ユニット６の角隅部分に配置される３つの冷却ファンを含む冷却ユニット７（図７）とを備える。
【００３０】
（２−１）光学ユニット４の構造
図８は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図７または図８に示すように、インテグレータ照明光学系４１と、色分離光学系４２と、リレー光学系４３と、光変調装置および色合成光学装置を一体化した光学装置４４と、これら光学部品４１，４２，４３，４４を収納配置するライトガイド４５（図７）とに機能的に大別される。
インテグレータ照明光学系４１は、光源から射出された光束を照明光軸直交面内における照度を均一にするための光学系である。このインテグレータ照明光学系４１は、図８に示すように、光源装置４１１、第１レンズアレイ４１２、第２レンズアレイ４１３、偏光変換素子４１４、および重畳レンズ４１５を備えて構成される。
【００３１】
光源装置４１１は、放射光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて略平行光束とされ、外部へと射出される。本実施形態では、光源ランプ４１６として、高圧水銀ランプを採用し、リフレクタ４１７として、放物面鏡を採用している。なお、光源ランプ４１６としては、高圧水銀ランプに限らず、例えばメタルハライドランプやハロゲンランプ等を採用してもよい。また、リフレクタ４１７として放物面鏡を採用しているが、これに限らず、楕円面鏡からなるリフレクタの射出面に平行化凹レンズを配置した構成を採用してもよい。
【００３２】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００３３】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を略１種類の偏光光に変換し、光学装置４４における光の利用効率を高めている。なお、このような偏光変換素子４１４は、例えば、特開平８−３０４７３９号公報に紹介されている。
【００３４】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００３５】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００３６】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうちの青色光を通す構成としたが、これに限らず、例えば、赤色光を通す構成としてもよい。
【００３７】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂおよび射出側偏光板４４４と、色合成光学装置としてのクロスダイクロイックプリズム４４５とを備える。
【００３８】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２および視野角補正板４４３を介して入射する光束を画像情報に応じて変調して射出する。なお、この液晶パネル４４１Ｒ，４４１Ｇ，４４１Ｂは、図示しない保持枠により収納保持されている。
【００３９】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００４０】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００４１】
図９は、ライトガイド４５の構造を示す図である。
ライトガイド４５は、図７または図９に示すように、射出成形等による合成樹脂製品であり、上述した光学部品４１，４２，４３，４４が収納される下ライトガイド４５１と、この下ライトガイド４５１の上面の開口部分を塞ぐ上ライトガイド４５２とを備える。
下ライトガイド４５１は、光源装置４１１が収納される光源収納部４５１Ａと、光源装置４１１を除く他の光学部品が収納される容器状に形成された部品収納部４５１Ｂと、この部品収納部４５１Ｂの外側面に形成され、投写レンズ３が設置される投写レンズ設置部４５１Ｃとを備える。
【００４２】
光源収納部４５１Ａは、下方端面の開口部４５１Ａ１（図９）および部品収納部４５１Ｂ側の図示しない開口部を有する略箱状に形成されている。そして、この光源収納部４５１Ａには、ロアーケース１２の底面部１２Ａに設けられたランプカバー２２（図２）を介して光源装置４１１が収納される。また、この光源収納部４５１Ａの前方側端面には、スリット状の図示しない開口部が形成されている。同様に、光源収納部４５１Ａの後方側端面には、スリット状の開口部４５１Ａ２（図７）が形成されている。そして、これら開口部を介して空気が光源収納部４５１Ａ内外に流通可能となっている。
部品収納部４５１Ｂ内には、具体的な図示は省略するが、光学部品４１２〜４１５，４２１〜４２４，４３１〜４３５を上方からスライド式に嵌め込むための複数の溝部が形成されている。また、部品収納部４５１Ｂ内において、図７に示すように、投写レンズ設置部４５１Ｃの内側部分に光学装置４４が設置される。さらに、部品収納部４５１Ｂにおいて、光学装置４４の後段側の側面には、図９に示すように、光源装置４１１から射出される光束を透過させる開口部４５１Ｂ１が形成されている。さらにまた、この部品収納部４５１Ｂにおいて、底面部分には、図９に示すように、光学装置４４の３つの液晶パネル４４１Ｒ，４４１Ｇ，４４１Ｂに応じた位置に開口部４５１Ｂ２が形成され、光学装置４４の偏光変換素子４１４に応じた位置に開口部４５１Ｂ３が形成されている。
【００４３】
投写レンズ設置部４５１Ｃは、部品収納部４５１Ｂの開口部４５１Ｂ１の周縁に位置し、ライトガイド４５内に設定される照明光軸に対する所定位置に投写レンズ３を設置する。そして、光源装置４１１から射出され、光学装置４４にて形成された光学像が、開口部４５１Ｂ１を介して投写レンズ３により拡大投写される。
上ライトガイド４５２は、図７に示すように、下ライトガイド４５１の部品収納部４５１Ｂにおける光学装置４４の上方を除く上端開口部分を閉塞する。この上ライトガイド４５２には、表裏を貫通して複数の開口部（例えば、開口部４５２Ａ）が形成され、この開口部を介して下ライトガイド４５１内に収納された光学部品の姿勢調整が実施される。
【００４４】
（２−２）制御基板５の構造
制御基板５は、図６に示すように、ライトガイド４５の上ライトガイド４５２の上方に配置される。この制御基板５は、ＣＰＵ（Ｃｏｎｔｒｏｌ  Ｐｒｏｃｅｓｓｉｎｇ  Ｕｎｉｔ）等の演算処理装置が実装された回路基板として構成され、プロジェクタ１全体を制御する。この制御基板５は、前述のインターフェース基板から出力される信号に基づいて液晶パネル４４１Ｒ，４４１Ｇ，４４１Ｂを駆動制御する。そして、液晶パネル４４１Ｒ，４４１Ｇ，４４１Ｂは、光変調を実施して光学像が形成される。また、この制御基板５は、前述の操作パネル１４の回路基板、および前述の図示しないリモコン受光モジュールから出力される操作信号を入力し、この操作信号に基づいてプロジェクタ１の構成部材に適宜、制御指令を出力する。
また、この制御基板５の上方には、図６に示すように、アルミニウムから構成される板状の第１シールド板５１が取り付けられている。そして、この第１シールド板５１は、制御基板５に実装される回路素子から放射される電磁波を遮蔽するとともに、外部からの電磁波も遮蔽し、雑音障害を回避している。なお、第１シールド板５１としては、アルミニウムに限らず、その他の金属で構成してもよく、また、合成樹脂等で構成し、その表面にめっき処理、または、金属蒸着処理、金属箔の貼り付け等を施したものを採用してもよい。
【００４５】
（２−３）電源ユニット６の構造
図１０は、電源ユニット６の構造を示す図である。具体的に、図１０は、電源ユニット６を下方側から見た図である。
電源ユニット６は、光源装置４１１および制御基板５等に電力を供給する。この電源ユニット６は、図６または図７に示すように、外装ケース２の背面に沿って配置される電源ブロック６１と、外装ケース２の一方の側面に沿って配置される光源駆動ブロック６２とを備え、ライトガイド４５の光源収納部４５１Ａを囲うように平面視Ｌ字状に形成されている。
電源ブロック６１は、インレットコネクタ３３に接続された電源ケーブルを通して外部から供給された電力を光源駆動ブロック６２および制御基板５等に供給する。この電源ブロック６１は、図１０に示すように、入力される交流を低電圧の直流に変換するトランスや該トランスからの出力を所定の電圧に変換する変換回路等が片面に実装された回路基板６１１と、この回路基板６１１を覆うシールド部材としての筒状部材６１２とを備える。このうち、筒状部材６１２は、アルミニウムから構成され、両端が開口された略箱状に形成されている。また、この筒状部材６１２において、光源収納部４５１Ａと対向しない端面には、複数の孔６１２Ａが形成され、光源収納部４５１Ａの後方側端面に形成されたスリット状の開口部４５１Ａ２（図７）と対向する部分は、孔等のない連続した面が形成されている。
そして、この電源ブロック６１は、回路基板６１１に実装される回路素子の発熱により、プロジェクタ１外部の温度に比して＋２０℃程度に熱せられる。
【００４６】
光源駆動ブロック６２は、光源装置４１１に安定した電圧で電力を供給する。この光源駆動ブロック６２は、図１０に示すように、電源ブロック６１から供給される電力を所定の電力に変圧するトランスや、電力蓄積用のコンデンサ、抵抗等が実装された回路基板６２１と、この回路基板６２１を覆うシールド部材としての筒状部材６２２とを備える。このうち、筒状部材６２２は、電源ブロック６１の筒状部材６１２と同様に、アルミニウムから構成され、両端が開口された略箱状に形成されている。また、この筒状部材６２２において、光源収納部４５１Ａと対向しない端面には、筒状部材６１２と同様に、複数の孔６２２Ａが形成され、光源収納部４５１Ａと対向する部分は、孔等のない連続した面が形成されている。
そして、この光源駆動ブロック６２は、回路基板６２１に実装される回路素子の発熱により、プロジェクタ１外部の温度に比して＋４０℃程度に熱せられる。すなわち、この光源駆動ブロック６２は、電源ブロック６１に比して高い発熱量を有している。
【００４７】
また、これら電源ブロック６１および光源駆動ブロック６２の上端部分には、図６に示すように、アルミニウムから構成される板状のシールド部材としての第２シールド板６３が取り付けられている。そして、この第２シールド板６３は、ライトガイド４５の光源収納部４５１Ａの上方を覆い、冷却ユニット７の後述する排気装置７４側に延びるように設置されている。
なお、筒状部材６１２、筒状部材６２２、および第２シールド板６３としては、アルミニウムに限らず、その他の金属で構成してもよく、また、合成樹脂等で構成し、その表面にめっき処理、または、金属蒸着処理、金属箔の貼り付け等を施したものを採用してもよい。
【００４８】
（２−４）冷却ユニット７の構造
図１１、図１２は、冷却ユニット７の構造を説明する図である。具体的に、図１１は、プロジェクタ１の本体部分を下方から見た図であり、図１２は、本体部分を上方から見た図である。
冷却ユニット７は、プロジェクタ１内部の発熱部材を冷却する。この冷却ユニット７は、図７、図１１、図１２に示すように、プロジェクタ１内部に外部の冷却空気を導入するシロッコファン７１と、このシロッコファン７１から吐出される冷却空気を所定位置に導く吸気側ダクト７２と、電源ユニット６に冷却空気を流通させる遠心力ファンとしてのシロッコファン７３と、プロジェクタ１内部で温められた空気を外部に排出する排気装置７４とを備える。
【００４９】
シロッコファン７１は、外装ケース２の底面部１２Ａに形成された吸気口２３（図２）に応じた位置に配置され、冷却空気を吸入する吸入口７１１（図９）が吸気口２３に対向し、吸入した冷却空気を吐出する吐出口７１２（図９）が光学ユニット４の下方側に向いている。
吸気側ダクト７２は、図１１に示すように、光学ユニット４の下方に配置され、冷却空気の図示しない導入口がシロッコファン７１の吐出口７１２（図９）と接続する。そして、この吸気側ダクト７２は、冷却空気を導出する４つの図示しない導出口を有し、これら導出口は、ライトガイド４５の底面に形成された開口部４５１Ｂ２，４５１Ｂ３（図９）と接続する。
シロッコファン７３は、図７、図１１、図１２に示すように、電源ユニット６の電源ブロック６１および光源駆動ブロック６２の間、すなわち、電源ユニット６のＬ字形状の角隅部分に配置され、冷却空気を吸入する図示しない吸入口が電源ブロック６１に対向し、吸入した冷却空気を吐出する図示しない吐出口が光源駆動ブロック６２に対向する。
【００５０】
排気装置７４は、図７、図１１、図１２に示すように、ライトガイド４５の光源収納部４５１Ａの前方側端面から外装ケース２の前面にかけて延びるように配置されている。この排気装置７４は、軸流排気ファン７４１と、プロジェクタ１内部の空気を軸流排気ファン７４１の吸入口に導く排気側第１ダクト７４２と、軸流排気ファン７４１から吐出される空気を外装ケース２の排気口１７まで導く排気側第２ダクト７４３とが一体化したユニットである。このうち、排気側第２ダクト７４３の導出口７４３Ａには、上下方向に延び、前方側が投写レンズ３から離間する方向に傾斜する複数の羽根部材７４３Ａ２を有する整流用ルーバ７４３Ａ１が設けられている。
【００５１】
（３）冷却構造
次に、この冷却ユニット７によるプロジェクタ１内部の冷却構造を説明する。図１３，１４は、プロジェクタ１内部に形成される冷却流路を示す図である。プロジェクタ１内部には、前述の冷却ユニット７により、図１３，１４に示すように、液晶パネル４４１Ｒ，４４１Ｇ，４４１Ｂおよび電源ユニット６を主に冷却するパネル・電源冷却流路Ａと、偏光変換素子４１４を主に冷却する偏光変換素子冷却流路Ｂと、光源装置４１１を主に冷却する光源冷却流路Ｃとが形成される。
パネル・電源冷却流路Ａは、冷却空気がプロジェクタ１内を以下に示すように流通することで形成される。
すなわち、外部の冷却空気は、図１３に示すように、シロッコファン７１により外装ケース２の底面部１２Ａに形成された吸気口２３（図２）から吸入され、吸気側ダクト７２に吐出される。そして、冷却空気は、吸気側ダクト７２に導かれてライトガイド４５の底面部分に形成された開口部４５１Ｂ２（図９）からライトガイド４５内部へと導入される。
【００５２】
ライトガイド４５内部に導入された冷却空気は、液晶パネル４４１Ｒ，４４１Ｇ，４４１Ｂ、入射側偏光板４４２、視野角補正板４４３、および射出側偏光板４４４を冷却しながら、光学装置４４の下方から上方に向けて流れ、図１４に示すように、ライトガイド４５の外部へと流出する。そして、ライトガイド４５の外部に流出した空気は、シロッコファン７３により引き寄せられ、制御基板５（図６）を冷却しつつ該制御基板５に沿って流れ、電源ブロック６１の内部に導入される。
電源ブロック６１内部に導入された空気は、内部の回路基板６１１に実装された回路素子を冷却しつつ筒状部材６１２に沿って流れ、シロッコファン７３に吸入され、光源駆動ブロック６２の内部側へと吐出される。この光源駆動ブロック６２内部に吐出された空気は、排気装置７４の軸流排気ファン７４１により引き寄せられ、回路基板６２１（図１０）に実装された回路素子を冷却しつつ筒状部材６２２に沿って流れ、排気装置７４に吸入される。そして、図１３に示すように、排気装置７４の整流用ルーバ７４３Ａ１により投写方向から離間する方向に整流され、外装ケース２の排気口１７から排出される。
【００５３】
偏光変換素子冷却流路Ｂは、冷却空気がプロジェクタ１内を以下に示すように流通することで形成される。
すなわち、外部の冷却空気は、図１３に示すように、シロッコファン７１により外装ケース２の底面部１２Ａに形成された吸気口２３（図２）から吸入され、吸気側ダクト７２に吐出される。そして、冷却空気は、吸気側ダクト７２に導かれてライトガイド４５の底面部分に形成された開口部４５１Ｂ３（図９）からライトガイド４５内部へと導入される。そして、ライトガイド４５内部に導入された冷却空気は、偏光変換素子４１４を冷却し、図１４に示すように、上ライトガイド４５２に形成された開口部４５２Ａからライトガイド４５外部に流出する。
【００５４】
光源冷却流路Ｃは、冷却空気がプロジェクタ１内を以下に示すように流通することで形成される。
すなわち、パネル・電源冷却流路Ａを流れる冷却空気の一部および偏光変換素子冷却流路Ｂを流れる冷却空気が、図１４に示すように、排気装置７４により引き寄せられ、電源ブロック６１とライトガイド４５の光源収納部４５１Ａとの間に入り込み、光源収納部４５１Ａの後方側端面に形成された開口部４５１Ａ２（図７）から該光源収納部４５１Ａ内に導入される。そして、光源収納部４５１Ａ内に導入された空気は、光源装置４１１を冷却し、光源収納部４５１Ａの前方側端面に形成された図示しない開口部を介して排気装置７４により吸入される。そしてまた、排気装置７４により吸入された空気は、整流用ルーバ７４３Ａ１により投写方向から離間する方向に整流され、外装ケース２の排気口１７から排出される。
【００５５】
（４）実施形態の効果
上述した本実施形態によれば、以下のような効果がある。
（４−１）電源ユニット６は、電源ブロック６１および光源駆動ブロック６２を備え、電源ブロック６１および光源駆動ブロック６２の間には、シロッコファン７３が配置されている。そして、シロッコファン７３は、発熱量の比較的小さい電源ブロック６１を通して、冷却空気を吸入し、この吸入した冷却空気を発熱量の比較的大きい光源駆動ブロック６２に吐出する。このことにより、シロッコファン７３は、冷却空気を吸入する過程において、電源ブロック６１に発生した熱を放熱させることができ、冷却空気を吐出することで光源駆動ブロック６２を強制冷却できる。したがって、電源ブロック６１および光源駆動ブロック６２の双方に冷却空気を吐出する構成と比較して、シロッコファン７３における送風量を小さくでき、電源ブロック６１および光源駆動ブロック６２の冷却効率を維持しつつ、プロジェクタ１の静粛性を確保できる。
【００５６】
（４−２）電源ユニット６は、電源ブロック６１が外装ケース２の背面に沿って配置され、光源駆動ブロック６２が外装ケース２の一方の側面に沿って配置され、平面視Ｌ字状に構成される。そして、シロッコファン７３は、電源ユニット６におけるＬ字状角部分に配置される。このことにより、電源ユニット６および該電源ユニット６を冷却するシロッコファン７３をコンパクトに配置でき、プロジェクタ１内のスペースを有効に活用して各構成部材を高密度に実装できる。
【００５７】
（４−３）電源ユニット６は、平面視Ｌ字状に構成され、該Ｌ字状内側にライトガイド４５の光源収納部４５１Ａが配置されている。このことにより、光源装置４１１から射出された光束のうち、照明光軸を外れ、例えば、光源収納部４５１Ａの前方側端面および後方側端面に形成されたスリット状の図示しない開口部から漏れた光束を電源ユニット６にて遮光できる。したがって、プロジェクタ１の外部へと光束が漏れることを回避できる。
【００５８】
（４−４）電源ブロック６１および光源駆動ブロック６２は、それぞれアルミニウムにて構成される筒状部材６１２および６２２を備えている。このことにより、各回路基板６１１，６２１に実装される回路素子から放射される電磁波を筒状部材６１２，６２２により遮蔽できる。また、光源装置４１１の光源ランプ４１６からノイズ電波（いわゆる、ランプノイズ）が放射された場合であっても、筒状部材６１２，６２２により該ノイズ電波を遮蔽できる。したがって、プロジェクタ１から他の電子機器に対する電磁妨害対策を図れる。また、これら筒状部材６１２，６２２により、制御基板５に実装される演算処理装置等に電磁波が放射されることを回避でき、投写画像の乱れや、誤動作等を防止できる。
【００５９】
（４−５）筒状部材６１２，６２２は、電源ユニット６の冷却流路Ａに沿って配置されているので、電磁波を遮蔽する機能のみならず、シロッコファン７３による冷却空気の導風路を形成するダクトとしての機能も備えることができる。
（４−６）筒状部材６１２，６２２の外周面が、光源収納部４５１Ａに対向しているので、光源収納部４５１Ａの前方側端面および後方側端面に形成されたスリット状の図示しない開口部から漏れる光束を遮光できる。したがって、光源装置４１１からの輻射熱を遮蔽でき、この輻射熱によりプロジェクタ１の他の構成部材が高温化することを回避できる。
【００６０】
（４−７）プロジェクタ１は、第２シールド板６３を備え、該第２シールド板６３は、電源ブロック６１および光源駆動ブロック６２の上端部分に取り付けられている。そして、この第２シールド板６３は、ライトガイド４５の光源収納部４５１Ａの上方を覆い、排気装置７４側に延びるように設置されている。このことにより、排気装置７４によって、該排気装置７４に対向配置する光源収納部４５１Ａ内の空気を吸入する際に、第２シールド板６３がダクトとして機能し、光源装置４１１の発熱により熱せられた空気を効率的にプロジェクタ１外部に排出できる。
【００６１】
（４−８）第２シールド板６３は、光源装置４１１の上方を覆うように設置されるので、電源ブロック６１および光源駆動ブロック６２の筒状部材６１２，６２２とともに、光源装置４１１の光源ランプ４１６から放射されるノイズ電波を遮蔽できる。したがって、プロジェクタ１から他の電子機器に対する電磁妨害対策を十分に図れる。
【００６２】
（５）実施形態の変形
なお、本発明は、前記実施形態に限定されるものではなく、本発明の目的を達成できる他の構成等を含み、以下に示すような変形等も本発明に含まれる。
前記実施形態では、電源ユニット６は、電源ブロック６１が外装ケース２の背面に沿って配置され、光源駆動ブロック６２が外装ケース２の一方の側面に沿って配置され、平面視Ｌ字状に構成される。そして、シロッコファン７３は、電源ユニット６におけるＬ字状角部分に配置される。これら電源ユニット６および冷却ファンとしてのシロッコファン７３の配置は、これに限らない。例えば、電源ブロック６１および光源駆動ブロック６２を直線的に配置し、これら電源ブロック６１および光源駆動ブロック６２の間に、冷却ファンとして、軸流ファンを配置する構成を採用してもよい。すなわち、電源ユニット６の冷却構造として、電源ブロック６１および光源駆動ブロック６２の間に冷却ファンが配置される構成であればよい。
【００６３】
前記実施形態では、シロッコファン７３は、電源ブロック６１を通して冷却空気を吸入し、この吸入した冷却空気を光源駆動ブロック６２に吐出する構成を説明したが、これに限らない。すなわち、前記実施形態では、比較的発熱量の低い電源ブロック６１をシロッコファン７３が冷却空気を吸入する過程で冷却していたが、光源駆動ブロック６２の方が電源ブロック６１に比して発熱量が低い場合には、シロッコファン７３が、光源駆動ブロック６２を通して冷却空気を吸入し、この吸入した冷却空気を電源ブロック６１に吐出する構成としてもよい。
【００６４】
前記実施形態では、３つの光変調装置を用いたプロジェクタの例のみを挙げたが、本発明は、１つの光変調装置のみを用いたプロジェクタ、２つの光変調装置を用いたプロジェクタ、あるいは、４つ以上の光変調装置を用いたプロジェクタにも適用可能である。
前記実施形態では、光変調装置として液晶パネルを用いていたが、マイクロミラーを用いたデバイスなど、液晶以外の光変調装置を用いてもよい。
前記実施形態では、光入射面と光射出面とが異なる透過型の光変調装置を用いていたが、光入射面と光射出面とが同一となる反射型の光変調装置を用いてもよい。
前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【図面の簡単な説明】
【図１】本実施形態に係るプロジェクタを上方前面側から見た斜視図。
【図２】前記実施形態におけるプロジェクタを下方前面側から見た斜視図。
【図３】前記実施形態におけるプロジェクタを後方背面側から見た斜視図。
【図４】前記実施形態におけるリアケースを上方から見た平面図。
【図５】前記実施形態におけるリアケースにおけるリモートコントローラの設置位置を示す図。
【図６】前記実施形態におけるプロジェクタの内部構造を示す図。
【図７】前記実施形態におけるプロジェクタの内部構造を示す図。
【図８】前記実施形態における光学ユニットの光学系を模式的に示す図。
【図９】前記実施形態におけるライトガイドの構造を示す図。
【図１０】前記実施形態における電源ユニットの構造を示す図。
【図１１】前記実施形態における冷却ユニットの構造を説明する図。
【図１２】前記実施形態における冷却ユニットの構造を説明する図。
【図１３】前記実施形態におけるプロジェクタ内部に形成される冷却流路を示す図。
【図１４】前記実施形態におけるプロジェクタ内部に形成される冷却流路を示す図。
【符号の説明】
１・・・プロジェクタ、３・・・投写レンズ（投写光学装置）、６１・・・電源ブロック、６２・・・光源駆動ブロック、６３・・・第２シールド板（シールド板）、７３・・・シロッコファン（冷却ファン）、４１１・・・光源装置、４４１Ｒ，４４１Ｇ，４４１Ｂ・・・液晶パネル（光変調装置）、６１２，６２２・・・筒状部材（シールド部材）、７４１・・・軸流排気ファン（排気ファン）。
【図１】
2004272092.tif 000003
【図２】
2004272092.tif 000004
【図３】
2004272092.tif 000005
【図４】
2004272092.tif 000006
【図５】
2004272092.tif 000007
【図６】
2004272092.tif 000008
【図７】
2004272092.tif 000009
【図８】
2004272092.tif 000010
【図９】
2004272092.tif 000011
【図１０】
2004272092.tif 000012
【図１１】
2004272092.tif 000013
【図１２】
2004272092.tif 000014
【図１３】
2004272092.tif 000015
【図１４】
2004272092.tif 000016